(57)【要約】【課題】従来から精米装置は、精白度を段階的に細かく分けて選択可能にすることが望ましいが、精白度の設定値を細かく分けると、多くの選択スイッチを要し、構成が複雑化してコスト高になる課題と、操作項目や設定項目を、タッチパネル式のデイスプレイ画面で構成すると、利用者が画面を破損する課題があった。【解決手段】この発明は、上記従来装置の課題を解決するもので、精米装置（１）の液晶表示画面（２）に、精白度の最低位置から最高位置までの設定値を、連続状態で表示できる精白度の表示部（３）を設け、該液晶表示画面（２）の外側に、精白度を設定する選択スイッチ（４）を設け、該選択スイッチ（４）は、精白度の高い側から低い側へ、及びその逆に設定値を選択できる構成とし、該設定値が精白度の表示画面（３）上に表示される構成とした。【選択図】  図１
2010162466.tif 000002
【特許請求の範囲】
【請求項１】
液晶表示画面（２）に精米装置（１）の精白度の最低位置から最高位置までの設定値を連続状態で表示できる表示部（３）を設け、該液晶表示画面（２）の外側に、精白度を設定する選択スイッチ（４）を配置して設け、該選択スイッチ（４）は精白度の高い側から低い側へ又は低い側から高い側へ順に精白度を選択できる構成とした精米装置の精白度設定装置。
【請求項２】
表示部（３）には、精白度を連続状態で表示できる表示バー（５）を設け、該表示バー（５）は、精白度の最高位置を白色とし、最低位置を黒色としてその中間部分は、黒色から順次白色に変化するように表示して構成した請求項１記載の精米装置の精白度設定装置。
【請求項３】
液晶表示画面（２）には、表示部（３）中の精白度の基準値を、調整・変更するために、管理者が設定できるタッチパネル式の管理スイッチ（６）を表示できる構成とした請求項１、又は２記載の精米装置の精白度設定装置。
【発明の詳細な説明】
【技術分野】
【０００１】
この発明は、選択スイッチで精白度の設定を行う構成とした精米装置の精白度設定装置に関する。
【背景技術】
【０００２】
従来から、例えば、特許文献１には、スイッチで精白度を選択する精米装置が記載されている。
そして、特開平４−１６６２４０号公開特許公報に記載されている公開技術は、精米機にタッチパネル式のデイスプレイ画面が接続され、そのデイスプレイ画面には、繰出量指定部と、精米度タッチ部と、精米開始画面とを設けた構成が示されている。
【先行技術文献】
【特許文献】
【０００３】
【特許文献１】特開２００７−１３６３７０号公開特許公報
【特許文献２】特開平４−１６６２４０号公開特許公報
【発明の概要】
【発明が解決しようとする課題】
【０００４】
この種の精米装置にあっては、精白度を段階的に細かく分けて選択可能にすることが望ましいが、精白度の設定値を細かく分けると、多くの選択スイッチを必要とし、構成が複雑化して製造コストが高くなり操作も複雑になる課題がある。
【０００５】
また、上記操作項目や設定項目を、タッチパネル式のデイスプレイ画面に構成すると、利用者が操作時に画面を損傷したり、破損する課題があった。
【課題を解決するための手段】
【０００６】
この出願の発明は、上述した従来からの課題を解消するために、つぎの如き技術構成としており、まず、請求項１に記載した発明は、液晶表示画面（２）に精米装置（１）の精白度の最低位置から最高位置までの設定値を連続状態で表示できる表示部（３）を設け、該液晶表示画面（２）の外側に、精白度を設定する選択スイッチ（４）を配置して設け、該選択スイッチ（４）は精白度の高い側から低い側へ又は低い側から高い側へ順に精白度を選択できる構成とした精米装置の精白度設定装置であって、精白度の選択スイッチ（４）の数を極力少なくして構成を簡単にし、製造コストの低減を図ったものである。
【０００７】
そして、請求項１の発明は、前述で説明した特許文献２のタッチパネル式のデイスプレイ画面を廃して、液晶表示画面（２）の外側に別個の選択スイッチ（４）を配置した構成であるから、利用者が画面を破損する虞をなく、従来の課題を解消したものである。
【０００８】
つぎに、請求項２の発明は、表示部（３）には、精白度を連続状態で表示できる表示バー（５）を設け、該表示バー（５）は、精白度の最高位置を白色とし、最低位置を黒色としてその中間部分は、黒色から順次白色に変化するように表示して構成した請求項１記載の精米装置の精白度設定装置であって、精白度の変化を黒色から白色に至る色の変化で具体的に表示して、視覚によって解り易くして利用者が精白度を選択する場合、きわめて容易に設定値の選択できるものとなった。
【０００９】
つぎに、請求項３の発明は、液晶表示画面（２）には、表示部３中の精白度の基準値を、調整・変更するために、管理者が設定できるタッチパネル式の管理スイッチ（６）を表示できる構成とした請求項１、又は２記載の精米装置の精白度設定装置であって、管理者が精白度の基準値を調整する場合の作業についてはタッチパネル式にすることによって、操作がやり易く、効率的に調整や変更作業ができるものとなった。
【発明の効果】
【００１０】
まず、請求項１の発明は、精白度の設定をする選択スイッチ（４）の数を少なくすることによって、構成を大幅に簡単にし、製造コストの低減を図った特徴がある。更に、請求項１の発明は、選択スイッチ（４）を、液晶表示画面（２）の精白度表示部３から分離して外側に設けた構成であるから、従来のタッチパネル式の如く、利用者が精白度の設定時に、表示部（３）を損傷したり、破損する等の事故を未然に防止できる特徴がある。
【００１１】
そして、請求項２の発明は、精白度の表示部（３）を表示バー（５）とし、それに精白度に対応して黒から白までを順次色を変化させて着色して、視覚に訴えて解り易く構成したから、利用者が精白度を選択する場合、きわめて容易に設定値の選択ができる特徴がある。
【００１２】
そして、請求項３の発明は、管理者が精白度の基準値を調整したり、変更する場合のメンテナンス作業においては、タッチパネル式にすることによって、操作がきわめてやり易く、効率的に調整や変更作業ができる特徴がある。
【図面の簡単な説明】
【００１３】
【図１】実施例の液晶表示画面と選択スイッチとを示す正面図
【図２】実施例の液晶表示画面と選択スイッチとを示す正面図
【図３】実施例の液晶表示画面と選択スイッチとを示す正面図
【図４】実施例の液晶表示画面と選択スイッチとを示す正面図
【図５】玄米から白米に至る一連の精米工程を示した説明用の概略図
【図６】機械室に精米機等の一連の機械を配置した平面図
【図７】操作室の正面、液晶表示画面等を示す正面図。
【発明を実施するための最良の形態】
【００１４】
以下、この発明の実施例を説明するが、図５は、玄米から白米に至る一連の精米工程を示した説明用の概略図あり、図６は、機械室に精米機等の一連の機械を配置した平面図、図７は操作盤を設けた操作室の正面図である。
【００１５】
まず、精米装置１は、本件明細書では、玄米投入ホッパー１０から仕上げ米ホッパー１１に至る一連の各機械の総称とし、一般の呼び名として、料金式精米設備（略称「コイン精米」とも言う）と呼ぶ場合もある。そして、玄米投入ホッパー１０は、図５に示すように、一連の精米工程の最も上手側に配置され、図６、及び図７に示すように、利用者が玄米を搬入して入れ易い位置（高さ）に設けている。なお、図６において、１２は利用者の操作室を示し、１３は機械室である。
【００１６】
つぎに、石抜き機１４は、前記玄米投入ホッパー１０の下部に設けられた繰出しバルブ１５から一定量の玄米が順次繰り出され、第一揚穀機１６によって揚穀搬送されて供給される構成としている。
【００１７】
そして、第二揚穀機１７は、前記石抜き機１４で処理された玄米が下部に供給され、揚穀搬送して精米機１８のホッパー１９に供給され、精米機１８内に流下して精白作用が行われる構成となっている。そして、仕上げ米ホッパー１１は、図５に示すように、一連の精米工程の最も下手側に配置され、図６、及び図７に示すように、利用者が白米を搬出し易い位置に配置して設けられている。
【００１８】
つぎに、実施例の液晶表示画面２は、図６、及び図７に示すように、前記操作室１２の正面、すなわち機械室１３との仕切壁の見易い位置に配置して固定され、具体的な図示は省略したが、制御機構を介して前記精米装置１に接続した構成としている。したがって、実施例の場合、前記精米装置１は、操作盤２０上の各スイッチ操作によって始動、停止等の全ての操作を可能にしている。
【００１９】
操作盤２０は正面側に扉状に形成し、該扉に後述する選択スイッチ４や液晶表示画面２に取り付けており、該扉を開けると制御部（図示せず）を配置している構成である。
そして、液晶表示画面２は、図１、乃至図４に示すように、精白度の最低位置から最高位置までの設定値を、連続状態で表示できる精白度の表示バー５を表示部３として設けた構成となっている。そして、該表示バー５は、図面に示すように、精白度の最高位置を白色とし、最低位置を黒色としてその中間部分は、黒色から白色に順次変化するように表示して、利用者が、視覚を通して精白度の変化が理解できるように工夫して精白度の設定操作をやり易くした構成としている。
【００２０】
そして、利用者が使用する選択スイッチ４は、精白度を設定するスイッチであるが、従来のタッチパネル式を廃して、前記液晶表示画面２の外側にある操作盤２０上に配置しており、実施例の場合、精白度の低い側から高い側へ連続的に設定値を選択できるスイッチ４ａと、逆に、高い側から低い側へ連続的に設定値の設定、選択ができるスイッチ４ｂとの２つのスイッチから構成している。２１は操作盤２０上に設けた精米スタートスイッチである。
【００２１】
そして、実施例の表示バー５には、前記選択スイッチ４ａ，又は４ｂの操作に伴って表示バー５上を移動する表示枠２２が設けられ、設定した精白度の位置（設定値）が一目で解る構成となっている。
【００２２】
液晶表示画面２は、図１に示した実施例の場合、精白度を示した数字を表示バー５の上側に表示し、前記した表示バー５の着色の変化に加えて、より正確に認知できる構成としている。図１の場合には例えば同じ精白度でもさらにその精白度合いを細分化して調節することが可能である。
【００２３】
また、液晶表示画面２は、図２に示した実施例の場合には、精白度を示した数字を表示バー５の内部に表示し、更に、利用者により正確な精白度が、具体的な数値で認知できるように配慮した構成としている。
【００２４】
このように構成された実施例は、精白度の設定が多段階にできるものでありながら、選択スイッチ４を、４ａ，４ｂとの２つに構成し、スイッチの数を少なくすることによって、構成を大幅に簡単にし、製造コストの低減を図ることができた。
【００２５】
更に、実施例の選択スイッチ４ａ，４ｂは、液晶表示画面２から分離して外側の操作盤２０上に設けたから、従来のタッチパネル式の如く、利用者が精白度の設定時に、液晶表示画面２を損傷したり、破損する等の事故を未然に防止できるものとなった。
【００２６】
そして、実施例は、説明したとおり、精白度の表示部３を表示バー５とし、それに精白度に対応して黒から白までを順次色を変化させて着色して、視覚に訴えて解り易く構成したから、利用者が精白度を選択する場合、きわめて容易に設定値の選択できるものとなった。
【００２７】
つぎに、図３に示した実施例の場合について述べると、管理者が液晶表示画面２にある表示部３中の精白度の基準値を、調整したり、変更するときにそのメンテナンスの操作を容易にしたものである。具体的には、液晶表示画面２は、図３に示すように、表示バー５に沿わせて管理数値２３を上下に調整・変更するためにタッチパネル式の管理スイッチ６にして表示できるように画面を構成している。
【００２８】
この管理スイッチ６は、例えばメンテナンス時に操作盤２０の扉を開けると自動的に表示されるようにする。あるいは、操作盤２０の内部に内蔵する制御部に管理スイッチ６を表示する表示スイッチ（図示せず）を設けるようにする。
【００２９】
このように構成すれば、管理者は、精白度の基準値を調整したり、変更する場合の作業が、メンテナンス用の管理スイッチ６をタッチパネル式にすることによって、操作がきわめてやり易く、効率的に調整や変更作業ができるものとなった。
【００３０】
つぎに、図４に示した実施例は、精米作業中に精白度を変更した場合の画面を示すもので、この例では最初に無洗米を選択し、その後に分搗き米に設定変更を可能にしたものである。この場合に、精白度が変更していることを液晶表示画面２に表示されることで利用者が精白度を変更したことがわかりやすくすることができる。
【００３１】
本実施例では表示部３を表示バー５で説明したが、他にもインジケータを一列に設ける構成としても良い。
なお、図７において、２５はコイン投入口を示している。
【符号の説明】
【００３２】
１  精米装置            ２  液晶表示画面
３  表示部              ４  選択スイッチ
５  表示バー            ６  管理スイッチ。
【図１】
2010162466.tif 000003
【図２】
2010162466.tif 000004
【図３】
2010162466.tif 000005
【図４】
2010162466.tif 000006
【図５】
2010162466.tif 000007
【図６】
2010162466.tif 000008
【図７】
2010162466.tif 000009